(57)【要約】【課題】従来にない新たな方法で、画面内に表示させたアイコンを編集することができる表示制御装置を提供すること。【解決手段】ホーム画面ＧＨ（第１画面）のアイコン配置エリアＡｉに表示されているアイコン（第１又は第２アイコン）を、タッチオン操作により指定しながら移動させてタッチオフ操作すると、当該アイコン配置エリアＡｉ内のアイコンの移動先の位置（第１位置）にある他のアイコンや空エリアの形状と移動されたアイコンの大きさおよび形状とが同じであるか否か（第１条件）判別され、同形状と判別されると、移動元のアイコンの表示内容と、移動先の他のアイコンや空エリアの表示内容とが入れ替えられて編集される。【選択図】      図１３
2019121194.tif 000002
【特許請求の範囲】
【請求項１】
対応する機能を起動するためのアイコンを、表示部の第１画面内の前記アイコンを配置可能に設定されたアイコン配置エリア内に、前記表示部によって表示させ、
前記アイコン配置エリア内の移動元エリアに配置されたアイコンを特定後、前記第１画面内の第１位置を特定し、特定した前記第１位置を前記アイコンの移動先として指定する第１操作を受け付け、
前記第１操作を受け付けたことに応じて、特定された前記移動元エリアのアイコンの外周縁が、前記第１位置に基づいて定められる前記アイコン配置エリア内の移動先エリアに、前記移動元エリアのアイコンを特定時に配置されているアイコンまたは空エリアの外周縁と、同じサイズおよび形状である第１条件を満たす場合、前記移動元エリアの表示内容と、前記移動先エリアの表示内容とを入れ替える
制御部
を備える表示制御装置。
【請求項２】
前記制御部は、
前記第１条件を満たし、かつ、前記移動先エリアに２以上のアイコンが表示されていた場合、
前記移動元エリアの表示内容を前記移動先エリアに表示し、かつ、前記２以上のアイコンごと前記移動元エリアに表示する表示更新を、前記表示部によって実行させる、
請求項１に記載の表示制御装置。
【請求項３】
前記制御部は、
前記第１操作において特定される前記第１位置が、前記第１条件を満たす場合と、前記第１条件を満たさない場合とが、視覚的に区別できるように、前記第１画面を、前記表示部によって表示変更させる、
請求項１または２に記載の表示制御装置。
【請求項４】
前記制御部は、
前記第１操作を受け付けたことに応じて、前記第１位置が特定のアイコンに重なる位置である第２条件を満たす場合、前記アイコンを前記アイコン配置エリアから非表示にする表示更新を、前記表示部によって実行させる、
請求項１〜３の何れか１項に記載の表示制御装置。
【請求項５】
前記制御部は、
前記第１操作において特定される前記第１位置が、前記第２条件を満たす場合、前記アイコンを前記アイコン配置エリアから非表示にする表示更新を実行することに対応した情報を、報知する、
請求項４に記載の表示制御装置。
【請求項６】
前記制御部は、
前記第１画面とは表示内容が異なる第２画面に前記アイコンを表示させ、
前記第２画面に表示された前記アイコンに対する特定の操作を受け付けたことに応じて、前記表示部の前記第１画面内の前記アイコン配置エリア内に表示させる前記アイコンとして、当該アイコンを登録し、
前記特定の操作を受け付けた場合に、特定の条件を満たしているか否かを判定し、
前記特定の条件を満たしていると判定した場合、前記アイコンを登録することができない旨を報知する、
請求項１〜５の何れか１項に記載の表示制御装置。
【請求項７】
前記制御部は、
外部記憶装置内に保存された機能に対応するアイコンを、前記アイコン配置エリア内に表示させるアイコンとして、前記アイコンを登録した場合であって、かつ、前記外部記憶装置が未装着であるときに、前記アイコンを指定するユーザ操作を受け付けた場合、
前記アイコンに対応する機能を利用できない旨を報知する、
請求項６に記載の表示制御装置。
【請求項８】
前記制御部は、
コンテンツを利用するアプリ、学習支援機能、および、前記コンテンツ内の情報を検索する文字を入力するための入力画面のいずれかを起動するための第１アイコンと、前記第１アイコンが複数表示される画面を表示させるための第２アイコンとのうちのいずれかの任意のアイコンを、前記第２画面に、前記アイコンとして、前記表示部によって表示させ、
前記任意のアイコンへの前記特定の操作を受け付けたことに応じて、前記第１画面の前記アイコン配置エリア内に表示させるアイコンとして、当該任意のアイコンを登録する、
請求項６または７に記載の表示制御装置。
【請求項９】
電子機器の制御部により、
対応する機能を起動するためのアイコンを、表示部の第１画面内の前記アイコンを配置可能に設定されたアイコン配置エリア内に、前記表示部によって表示させ、
前記アイコン配置エリア内の移動元エリアに配置されたアイコンを特定後、前記第１画面内の第１位置を特定し、特定した前記第１位置を前記アイコンの移動先として指定する第１操作を受け付け、
前記第１操作を受け付けたことに応じて、特定された前記移動元エリアのアイコンの外周縁が、前記第１位置に基づいて定められる前記アイコン配置エリア内の移動先エリアに、前記移動元エリアのアイコンを特定時に配置されているアイコンまたは空エリアの外周縁と、同じサイズおよび形状である第１条件を満たす場合、前記移動元エリアの表示内容と、前記移動先エリアの表示内容とを入れ替える、
ようにした表示制御方法。
【請求項１０】
電子機器のコンピュータを、
対応する機能を起動するためのアイコンを、表示部の第１画面内の前記アイコンを配置可能に設定されたアイコン配置エリア内に、前記表示部によって表示させ、
前記アイコン配置エリア内の移動元エリアに配置されたアイコンを特定後、前記第１画面内の第１位置を特定し、特定した前記第１位置を前記アイコンの移動先として指定する第１操作を受け付け、
前記第１操作を受け付けたことに応じて、特定された前記移動元エリアのアイコンの外周縁が、前記第１位置に基づいて定められる前記アイコン配置エリア内の移動先エリアに、前記移動元エリアのアイコンを特定時に配置されているアイコンまたは空エリアの外周縁と、同じサイズおよび形状である第１条件を満たす場合、前記移動元エリアの表示内容と、前記移動先エリアの表示内容とを入れ替える、
手段として機能させるためのコンピュータ読み込み可能な表示制御プログラム。
【発明の詳細な説明】
【技術分野】
【０００１】
本発明は、表示装置の画面にアイコンを表示させるための表示制御装置、表示制御方法、および表示制御プログラムに関する。
【背景技術】
【０００２】
電子機器において、互いに異なる機能をそれぞれが起動するための複数のアイコンを一画面内に表示させることや、表示させた複数のアイコンを編集する方法が知られている。
【先行技術文献】
【特許文献】
【０００３】
【特許文献１】特表２０１６−５０２１８４号公報
【発明の概要】
【発明が解決しようとする課題】
【０００４】
本発明は、従来にない新たな方法で、画面内に表示させたアイコンを編集することができる表示制御装置、表示制御方法、表示制御プログラムを提供することを目的とする。
【課題を解決するための手段】
【０００５】
本発明に係る表示制御装置は、
対応する機能を起動するためのアイコンを、表示部の第１画面内の前記アイコンを配置可能に設定されたアイコン配置エリア内に、前記表示部によって表示させ、  
前記アイコン配置エリア内の移動元エリアに配置されたアイコンを特定後、前記第１画面内の第１位置を特定し、特定した前記第１位置を前記アイコンの移動先として指定する第１操作を受け付け、  
前記第１操作を受け付けたことに応じて、特定された前記移動元エリアのアイコンの外周縁が、前記第１位置に基づいて定められる前記アイコン配置エリア内の移動先エリアに、前記移動元エリアのアイコンを特定時に配置されているアイコンまたは空エリアの外周縁と、同じサイズおよび形状である第１条件を満たす場合、前記移動元エリアの表示内容と、前記移動先エリアの表示内容とを入れ替える  
制御部を備えている。
【図面の簡単な説明】
【０００６】
【図１】本発明の表示制御装置の実施形態に係る学習支援装置１０の外観構成を示す正面図。
【図２】前記学習支援装置１０の電子回路の構成を示すブロック図。
【図３】前記学習支援装置１０のホーム画面登録処理を示すフローチャート。
【図４】前記学習支援装置１０のホーム画面登録処理に従い、ホーム画面ＧＨに辞書コンテンツに対応するアイコンを登録する際の表示動作の一例を示す図。
【図５】前記学習支援装置１０のホーム画面登録処理に従い、ホーム画面ＧＨに［便利な検索］のカテゴリに含まれる［手書きで調べる］アイコンｉＳ４ａを登録する際の表示動作の一例を示す図。
【図６Ａ】前記学習支援装置１０のホーム画面登録処理に従いホーム画面ＧＨにアイコンを登録する際に、当該ホーム画面ＧＨにアイコンが最大個数登録済みである場合の表示動作の一例を示す図。
【図６Ｂ】前記学習支援装置１０のホーム画面登録処理に従いホーム画面ＧＨにアイコンを登録する際に、当該ホーム画面ＧＨに登録対象のアイコンに対応する空エリアがない（不適合である）場合の表示動作の一例を示す図。
【図７】前記学習支援装置１０のホーム画面操作処理を示すフローチャート。
【図８】前記学習支援装置１０のホーム画面操作処理に従ったホーム画面ＧＨからのユーザ操作に応じた表示動作の一例を示す図。
【図９】前記学習支援装置１０のホーム画面操作処理に従い、ホーム画面ＧＨの［カード保存］アイコンｉＣを指定した場合であって、メモリカードが未挿入である場合の表示動作の一例を示す図。
【図１０】前記学習支援装置１０のホーム画面ＧＨの編集モードにおけるアイコンの移動規則を説明するための模式図。
【図１１】前記学習支援装置１０のホーム画面編集設定処理を示すフローチャート。
【図１２】前記学習支援装置１０のホーム画面編集設定処理に従い遷移される編集モード処理を示すフローチャート。
【図１３】前記学習支援装置１０の編集モード処理に従ったホーム画面ＧＨでのユーザ操作（編集可）に応じた表示動作の一例を示す図。
【図１４】前記学習支援装置１０の編集モード処理に従ったホーム画面ＧＨでのユーザ操作（登録解除）に応じた表示動作の一例を示す図。
【図１５】前記学習支援装置１０の編集モード処理に従ったホーム画面ＧＨでのユーザ操作（編集不可）に応じた表示動作の一例を示す図。
【発明を実施するための形態】
【０００７】
以下図面により本発明の実施の形態について説明する。
【０００８】
図１は、本発明の表示制御装置の実施形態に係る学習支援装置１０の外観構成を示す正面図である。
【０００９】
表示制御装置は、以下に説明する学習支援専用の学習支援装置１０として構成されるか、学習支援機能を備えたタブレット型のＰＤＡ(personal digital assistants)、ＰＣ(personal computer)、携帯電話、電子ブック、携帯ゲーム機などとして構成される。
【００１０】
学習支援装置１０は、その本体ケース１１と蓋体ケース１２とがヒンジ部１３を介して展開／閉塞可能な折り畳み型ケースを備えて構成される。前記折り畳み型ケースを展開した本体ケース１１の表面には、［ホーム］キー１４ａ、機能指定キー１４ｂ、文字入力キー１４ｃ、［訳／決定］キー１４ｄ、［戻る／リスト］キー１４ｅ、カーソルキー１４ｆ、［シフト］キー１４ｇなどを含むキー入力部（キーボード）１４、音声出力部（スピーカを含む）１５、および音声入力部（マイクを含む）１６が設けられる。
【００１１】
また、前記蓋体ケース１２の表面には、タッチパネル式表示部１７が設けられる。前記タッチパネル式表示部１７は、ユーザがペンや指などでタッチした位置を検出するタッチ位置検出装置と表示装置が一体となった構造であり、バックライト付きのカラー液晶表示画面に透明タッチパネルを重ねて構成される。
【００１２】
そして、前記タッチパネル式表示部１７の右端には、前記キー入力部１４における一部のキーの押下操作や本学習支援装置１０の一部の機能の指定操作を、タッチ操作により行うためのキーや機能の表記（［ホーム］［レッスン］［訳／決定］など）が固定印刷されたタッチキーエリア１７Ａが設けられる。
【００１３】
前記キー入力部１４の［ホーム］キー１４ａは、前記表示部１７にホーム画面ＧＨ（第１画面(1)）を表示させるためのキーである。
【００１４】
前記ホーム画面ＧＨには、アイコン配置エリアＡｉが設けられ、当該アイコン配置エリアＡｉの周囲に、［コンテンツ一覧］アイコンＣＬ、［ツール一覧］アイコンＴＬ、［設定］アイコンＳＴ、［便利な検索］アイコンＣＳの他、国語系タブ［あいう］、英語系タブ［ＡＢＣ］などが表示される。
【００１５】
前記アイコン配置エリアＡｉには、本装置１０の初期設定あるいはユーザ操作に応じて登録された複数のアイコン（例えば、［大辞典］ｉＪ１、［国語辞典］ｉＪ２、［総合英語］ｉＥ１、［英和辞典］ｉＥ２、［学習・国語］ｉＬＪ、［学習・英語］ｉＬＥ、［リスニング］ｉＥＬ１、［スピーキング］ｉＥＬ２、［マーカ単語帳］ｉＳＮ１、［ＥＮＧＬＩＳＨ  ＬＥＳＳＯＮ］ｉＥＬなど）が表示される。
【００１６】
前記各アイコンは、当該アイコンの表記に対応する機能を起動させるための図形や記号などであり、例えば、前記［大辞典］アイコンｉＪ１、［国語辞典］アイコンｉＪ２は、それぞれ、辞書コンテンツのカテゴリ「国語系」に含まれる複数の辞書コンテンツのうち、［大辞典］、［国語辞典］のコンテンツを利用する機能（アプリケーション）を直接起動させる。また、前記［総合英語］アイコンｉＥ１、［英和辞典］ｉＥ２は、それぞれ、辞書コンテンツのカテゴリ「英語系」に含まれる複数の辞書コンテンツのうち、［総合英語］、［英和辞典］のコンテンツを利用する機能（アプリケーション）を直接起動させる。これらのアイコンの表記に対応する機能それ自体を起動させるためのアイコンを、第１アイコンと定義する。
【００１７】
また、前記［学習・国語］アイコンｉＬＪは、学習コンテンツのカテゴリ「国語系」に含まれる複数の学習コンテンツ（例えば、［漢字ドリル］［四字熟語ドリル］…）に対応する各アイコンの一覧の画面（第２画面）を表示させる機能を起動させる。また、前記［学習・英語］アイコンｉＬＥは、学習コンテンツのカテゴリ「英語系」に含まれる複数の学習コンテンツ（例えば、［単語ドリル］［英検ドリル］…）に対応する各アイコンの一覧の画面（第２画面）を表示させる機能を起動させる。また、前記［ＥＮＧＬＩＳＨ  ＬＥＳＳＯＮ］アイコンｉＥＬは、本装置１０のツールの中のカテゴリ「ＥＮＧＬＩＳＨ  ＬＥＳＳＯＮ」に含まれる複数のレッスン機能（例えば、［レッスンプラン］［ボキャブラリ］［リスニング］［スピーキング］…）に対応する各アイコンの一覧の画面（第２画面）を表示させる機能を起動させる。これらアイコンの表記に対応するカテゴリに含まれる複数の機能のアイコン一覧の画面（第２画面）を表示させる機能を起動させるためのアイコンを、第２アイコンと定義する。
【００１８】
前記アイコン配置エリアＡｉに登録可能なアイコンの最大個数は、当該アイコン配置エリアＡｉのサイズおよび形状と、各アイコンの最小サイズおよび形状（本実施形態では、アイコン配置エリアＡｉの横方向の６分の１の長さを一辺とする正方形）とに基づき、例えば、縦３個×横６個の１８個に設定される。
【００１９】
本装置１０のアイコン配置エリアＡｉに表示される各アイコンのサイズおよび形状は、例えば、当該各アイコンに対応する機能に対するユーザの使用頻度やユーザからのアイコンの見つけ易さに応じて、前記最小サイズの正方形（１×１）、当該最小サイズの縦横２倍（２×２）の正方形、当該最小サイズの横２倍（１×２）の長方形などとして設定される。
【００２０】
なお、本装置１０は、前記アイコン配置エリアＡｉに表示させるアイコンのユーザ操作に応じた追加登録機能、編集（入れ替え）機能、登録解除機能を有する。
【００２１】
これにより、前記アイコン配置エリアＡｉに登録されるアイコンの個数は、ユーザ操作に応じて、当該アイコン配置エリアＡｉに表示させる各アイコンの組み合わせと表示位置とに基づいて、最小０個〜最大１８個まで変更可能である。
【００２２】
前記キー入力部１４の機能指定キー１４ｂは、各キーに表記されている辞書コンテンツ（［大辞典］など）、辞書コンテンツのカテゴリ（［国語］［古語］［漢和］［英和］など）、学習コンテンツのカテゴリ（［学習１］［学習２］）、［コンテンツ一覧］、ツールの一つのカテゴリ［学習帳］を、それぞれ直接指定するためのキーである。
【００２３】
また、前記キー入力部１４のキーは、［シフト］キー１４ｇが操作された後に続けて操作されることで、そのキートップに枠囲み無しで記載されたキー機能ではなく、枠囲みして記載されたキーとして機能できるようになっている。例えば、［シフト］キー１４ｇの操作後に［訳／決定］キー１４ｄが操作（以下、［シフト］＋［決定］キーと記す。）されると登録対象として指定されているデータを登録する機能を起動させるための［登録］キーとなる。［シフト］＋［削除］キーは［設定］キーとなる。
【００２４】
図２は、前記学習支援装置１０の電子回路の構成を示すブロック図である。
【００２５】
学習支援装置１０の電子回路は、コンピュータであるＣＰＵ２１を備える。前記ＣＰＵ２１は、フラッシュＲＯＭなどの記憶部２２に予め記憶された学習支援処理プログラム２２ａ、表示制御処理プログラム２２ｂ、あるいはメモリカードなどの外部記録媒体２３から記録媒体読取部２４により読み取られて前記記憶部２２に記憶された各プログラム２２２ａ，２２ｂ、あるいは通信ネットワークＮ上のＷｅｂサーバ（ここではプログラムサーバ）３０から通信部２５を介してダウンロードされ前記記憶部２２に記憶された各プログラム２２ａ，２２ｂ、に従って回路各部の動作を制御する。
【００２６】
前記ＣＰＵ２１には、データ及び制御バスを介して、前記記憶部２２、記録媒体読取部２４、通信部２５を接続するほか、前記キー入力部１４、音声出力部１５、音声入力部１６、タッチパネル式表示部１７、を接続する。
【００２７】
前記記憶部２２は、前記学習支援処理プログラム２２ａ、表示制御処理プログラム２２ｂを記憶するプログラム記憶部（２２ａ，２２ｂ）のほか、辞書コンテンツデータ記憶部２２ｃ、学習コンテンツデータ記憶部２２ｄ、ツールデータ記憶部２２ｅ、ホーム画面登録データ記憶部２２ｆ、および表示データ記憶部２２ｇ、などを含む。
【００２８】
前記辞書コンテンツデータ記憶部２２ｃは、辞書のカテゴリ毎に、複数種類の辞書コンテンツを含む辞書コンテンツデータ（国語系）２２ｃ１、辞書コンテンツデータ（英語系）２２ｃ２、などを該当するコンテンツを利用するアプリケーションとして記憶する。
【００２９】
前記学習コンテンツデータ記憶部２２ｄは、学習のカテゴリ別に、複数種類の学習コンテンツを含む学習コンテンツデータ（国語系）２２ｄ１、学習コンテンツデータ（英語系）２２ｄ２、などを該当するコンテンツを利用するアプリケーションとして記憶する。
【００３０】
前記ツールデータ記憶部２２ｅは、ツールの中のカテゴリ別に、複数種類の学習支援機能を含む［ＥＮＧＬＩＳＨ  ＬＥＳＳＯＮ］データ２２ｅ１、［学習帳］データ２２ｅ２、などを記憶する。
【００３１】
前記ホーム画面登録データ記憶部２２ｆは、前記表示部１７に表示させるホーム画面ＧＨ（図１参照）のアイコン配置エリアＡｉに登録されたアイコンと当該アイコンのアイコン配置エリアＡｉ内での表示位置とを対応付けて記憶する。
【００３２】
前記表示データ記憶部２２ｇは、本学習支援装置１０の動作に応じて前記ＣＰＵ２１がタッチパネル式表示部１７に表示させる、例えばビットマップ形式の画像データを記憶する。
【００３３】
前記学習支援処理プログラム２２ａは、本学習支援装置１０の全体の動作を司るシステムプログラム、前記通信部２５を介して外部の電子機器と通信接続するためのプログラム、および、前記各記憶部２２ｃ、２２ｄ、２２ｅに記憶されている各コンテンツデータ２２ｃ１，２２ｃ２，…、２２ｄ１，２２ｄ２，…、各ツールデータ２２ｅ１，２２ｅ２，…、を含む種々のデータを使って、各コンテンツやツールに対応する種々の機能を実行するためのプログラムなどを含む。
【００３４】
前記表示制御処理プログラム２２ｂは、前記タッチパネル式表示部１７に表示させるホーム画面ＧＨ（図１参照）のアイコン配置エリアＡｉにアイコンを追加登録するためのホーム画面登録処理プログラム（図３参照）、前記ホーム画面ＧＨのアイコンを操作して当該アイコンに対応する機能を起動させるためのホーム画面操作処理プログラム（図７参照）、前記ホーム画面ＧＨのアイコン配置エリアＡｉに表示中のアイコンの入れ替え、登録解除を行なうためのホーム画面編集処理プログラム（図１１，図１２参照）などを含む。
【００３５】
このように構成された学習支援装置１０は、前記ＣＰＵ２１が、前記学習支援処理プログラム２２ａおよび表示制御処理プログラム２２ｂに記述された命令従い回路各部の動作を制御し、ソフトウエアとハードウエアとが協働して動作することにより、以下の動作説明で述べるような、学習支援機能および表示制御機能を実現する。
【００３６】
次に、前記構成の学習支援装置１０の動作について説明する。
【００３７】
（ホーム画面登録処理）
図３は、前記学習支援装置１０のホーム画面登録処理を示すフローチャートである。
【００３８】
図４は、前記学習支援装置１０のホーム画面登録処理に従い、ホーム画面ＧＨに辞書コンテンツに対応するアイコンを登録する際の表示動作の一例を示す図である。
【００３９】
キー入力部１４の［ホーム］キー１４ａの押下操作に応じて、図４（Ａ）に示すように、ＣＰＵ２１により、タッチパネル式表示部１７にホーム画面ＧＨを表示させた状態で、ユーザ操作に応じて、国語系タブ［あいう］および［コンテンツ一覧］アイコンＣＬが指定（タッチ操作による指定またはカーソルによる選択操作後の［決定］キー操作による指定）されると、指定された国語系タブ［あいう］および［コンテンツ一覧］アイコンＣＬが識別表示Ｈされる。
【００４０】
すると、ＣＰＵ２１により、図４（Ｂ）に示すように、辞書コンテンツデータ（２２ｃ）および学習コンテンツデータ（２２ｄ）のカテゴリのアイコン（［国語系１］ｉＪａ，［国語系２］ｉＪｂ，［英語系１］ｉＥａ，［英語系２］ｉＥｂ，…）を示すメニューＭｃ、および辞書コンテンツデータ（国語系）２２ｃ１に含まれる複数の辞書コンテンツに対応するアイコン（［大辞典］ｉＪ１〜［カタカナ語］ｉＪ９）を一覧にしたコンテンツ一覧画面（国語系）ＧＬ（第２画面）が前記表示部１７に表示される（ステップＲ１）。
【００４１】
前記コンテンツ一覧画面（国語系）ＧＬ（第２画面）において、メニューＭｃに含まれる、カテゴリのアイコン（ここでは［国語系１］ｉＪａ）が、タッチ操作Ｔ１の長押し（約１秒）またはカーソルにより当該アイコンｉＪａを選択した後の［シフト］＋［決定］キー（［登録］キー）のキー操作により指定されると、ＣＰＵ２１により登録操作ありと判別される（ステップＲ２のＹｅｓ）。
【００４２】
すると、ＣＰＵ２１により、前記指定されたアイコンが辞書コンテンツデータ（２２ｃ）のカテゴリのアイコン［国語系１］ｉＪａであると特定され（ステップＲ３）、前記記憶部２２に記憶されたホーム画面登録データ（２２ｆ）に基づき、現在のホーム画面ＧＨのアイコン配置エリアＡｉに、アイコンが最大個数（１８個）登録済みであるか否か判別される（ステップＲ４）。
【００４３】
ここで、前記アイコン配置エリアＡｉ内の登録済みのアイコンの数が予め定めた数に達しているか否かの判別条件を、特定条件(1)とする。
【００４４】
なお、本実施形態において、前記コンテンツ一覧画面（国語系）ＧＬ（第２画面）のメニューＭｃに表示させるカテゴリのアイコン（例えば、［国語系１］ｉＪａ）は、前記ホーム画面ＧＨのアイコン配置エリアＡｉに表示させる場合、その絵柄やサイズは異なるが、当該カテゴリに含まれる複数の機能（ここでは、国語系の複数の辞書コンテンツ）に対応する複数のアイコンを一覧表示させる機能としては同一であり、同一の符号を用いて説明する。
【００４５】
ここで、現在のホーム画面ＧＨ（図４（Ａ）参照）に登録されているアイコンの個数は１３個であるため、ＣＰＵ２１により最大個数（１８個）登録済みでないと判別されると（ステップＲ４のＮｏ）、当該ホーム画面ＧＨの空エリア（アイコン未登録エリア）ａｖ１〜ａｖ５を対象に、前記特定したアイコン［国語系１］ｉＪａのアイコン配置エリアＡｉ用のサイズおよび形状が不適合か否か判別される（ステップＲ５）。
【００４６】
前記アイコン配置エリアＡｉ内のアイコン未登録エリアのサイズおよび形状が前記特定したアイコンのサイズおよび形状に不適合であるか否かの判別条件を、特定条件(2)とする。
【００４７】
ここで、図４（Ｄ）に示すように、特定したアイコン［国語系１］（アイコン配置エリアＡｉ用）ｉＪａは最小サイズの正方形であり、ホーム画面ＧＨの空エリアａｖ１〜ａｖ５の何れにも適合する（不適合ではない）と判別されると（ステップＲ５のＮｏ）、ＣＰＵ２１により、前記アイコン［国語系１］ｉＪａが前記ホーム画面ＧＨの先頭の空エリアａｖ１に登録され（ステップＲ６）、図４（Ｃ）（Ｄ）に示すように、登録完了メッセージ「登録しました」ｍＲが表示部１７に一定時間表示された後、前記アイコン［国語系１］ｉＪａを追加登録したホーム画面ＧＨが、表示部１７に表示される（ステップＲ７）。
【００４８】
また、前記図４（Ａ）で示したホーム画面ＧＨの［コンテンツ一覧］アイコンＣＬが指定されることにより、図４（Ｂ）で示したように表示部１７に表示されたコンテンツ一覧画面（国語系）ＧＬ（第２画面）において、図４（Ｅ）に示すように、［類語］アイコンｉＪ６が指定（Ｔ２）され、ＣＰＵ２１により登録操作ありと判別されると（ステップＲ２のＹｅｓ）、前記同様に、特定した［類語］アイコンｉＪ６がホーム画面ＧＨの先頭の空エリアａｖ１に登録される（ステップＲ３〜Ｒ６）。そして、図４（Ｆ）（Ｇ）に示すように、登録完了メッセージ「登録しました」ｍＲが表示部１７に一定時間表示された後、当該［類語］アイコンｉＪ６を追加登録したホーム画面ＧＨが、表示部１７に表示される（ステップＲ７）。
【００４９】
図５は、前記学習支援装置１０のホーム画面登録処理に従い、ホーム画面ＧＨに［便利な検索］のカテゴリに含まれる［手書きで調べる］アイコンｉＳ４ａを登録する際の表示動作の一例を示す図である。
【００５０】
図５（Ａ）に示すように、表示部１７に表示されたホーム画面ＧＨにおいて、［便利な検索］アイコンＣＳが指定されると、図５（Ｂ）に示すように、ＣＰＵ２１により、当該［便利な検索］のカテゴリに含まれる複数の機能のアイコン（［図から検索］ｉＳ１〜［５０音から検索］ｉＳ５）を一覧にした便利な検索一覧画面ＧＳ（第２画面）が表示部１７に表示される（ステップＲ１）。
【００５１】
なお、指定されたカテゴリに含まれる複数の機能に対応した複数のアイコンを一覧にした画面を第２画面とする。
【００５２】
前記便利な検索一覧画面ＧＳにおいて、図５（Ｂ）に示すように、手書きで文字を入力して情報を検索するための［手書きで調べる］アイコンｉＳ４が指定（Ｔ）され、ＣＰＵ２１により登録操作ありと判別されると（ステップＲ２のＹｅｓ）、前記同様に、特定した［手書きで調べる］アイコンｉＳ４ａ（アイコン配置エリアＡｉ用は前記最小サイズの横２倍の長方形）がホーム画面ＧＨの空エリアａｖ１，ａｖ２に対応して登録される（ステップＲ３〜Ｒ６）。そして、図５（Ｃ）（Ｄ）に示すように、登録完了メッセージ「登録しました」ｍＲが表示部１７に一定時間表示された後、当該［手書きで調べる］アイコンｉＳ４ａを追加登録したホーム画面ＧＨが、表示部１７に表示される（ステップＲ７）。
【００５３】
前記アイコン配置エリアＡｉに登録して表示させる［手書きで調べる］アイコンｉＳ４ａは、当該アイコン配置エリアＡｉに表示させる最小サイズのアイコンの横２倍の大きなサイズに設定されているので、ホーム画面ＧＨ内に別途表示され同じ機能（手書き検索機能）を有する小さなイラストのアイコンｉＳ４ｂよりもユーザが見つけ易く、情報検索のための手書き文字の入力画面を容易に表示させることができる。特にシニア層のユーザ向けには、当該アイコン配置エリアＡｉに前記大きなサイズの［手書きで調べる］アイコンｉＳ４ａを登録するのが効果的である。
【００５４】
図６Ａは、前記学習支援装置１０のホーム画面登録処理に従いホーム画面ＧＨにアイコンを登録する際に、当該ホーム画面ＧＨにアイコンが最大個数登録済みである場合の表示動作の一例を示す図である。
【００５５】
図６Ａの（Ａ）に示すように、辞書コンテンツデータ（２２ｃ）および学習コンテンツデータ（２２ｄ）のカテゴリを示すメニューＭｃ（［英語系１］アイコンｉＥａが指定され識別表示Ｈされている）、および辞書コンテンツデータ（英語系）２２ｃ２に含まれる複数の辞書コンテンツに対応するアイコン（［英和１］ｉＥ３，［英和２］ｉＥ３，…，［英英２］ｉＥ７）を一覧にしたコンテンツ一覧画面（英語系）ＧＬが表示部１７に表示された状態（ステップＲ１）で、ユーザ操作に応じて、例えば、［英英２］アイコンｉＥ７が指定されて識別表示Ｈされる。そして、ＣＰＵ２１により登録操作ありと判別された場合に（ステップＲ２のＹｅｓ）、現在のホーム画面ＧＨのアイコン配置エリアＡｉに、アイコンが最大個数（１８個）登録済みであると判別されると（ステップＲ３，Ｒ４のＹｅｓ）、図６Ａの（Ｂ）に示すように、当該アイコン配置エリアＡｉに最大個数のアイコンを登録済みであり追加のアイコンを登録できない旨のＭＡＸ個数登録済みメッセージ「スペースがないので…登録できません…スペースを確保して下さい」ｍｎ１が表示部１７に表示される（ステップＲ８）。
【００５６】
図６Ｂは、前記学習支援装置１０のホーム画面登録処理に従いホーム画面ＧＨにアイコンを登録する際に、当該ホーム画面ＧＨに登録対象のアイコンに対応する空エリアがない（不適合である）場合の表示動作の一例を示す図である。
【００５７】
前記ホーム画面ＧＨの［便利な検索］アイコンＣＳが指定されることで、図６Ｂの（Ａ）に示すように、ＣＰＵ２１により、当該［便利な検索］のカテゴリに含まれる複数の機能のアイコン（［図から検索］ｉＳ１〜［５０音から検索］ｉＳ５）を一覧にした便利な検索一覧画面ＧＳが表示部１７に表示された状態（ステップＲ１）で、ユーザ操作に応じて、例えば、［手書きで調べる］アイコンｉＳ４が指定（Ｔ）されて識別表示Ｈされる。そして、ＣＰＵ２１により登録操作ありと判別された場合に（ステップＲ２のＹｅｓ）、現在のホーム画面ＧＨのアイコン配置エリアＡｉの空エリアを対象に、今回特定した［手書きで調べる］アイコンｉＳ４ａのサイズおよび形状が不適合であると判別されると（ステップＲ３〜Ｒ５のＹｅｓ）、図６Ｂの（Ｂ）に示すように、前記アイコン配置エリアＡｉの空エリアが前記特定した［手書きで調べる］アイコンｉＳ４ａに不適合であり当該アイコンｉＳ４ａを登録できない旨の不適合メッセージ「スペースがないので…登録できません…スペースを確保して下さい」ｍｎ２が表示部１７に表示される（ステップＲ９）。
【００５８】
すなわち、前記アイコン配置エリアＡｉに登録して表示させる［手書きで調べる］アイコンｉＳ４ａは、前述したように、当該アイコン配置エリアＡｉに表示させる最小サイズのアイコンの横２倍の大きなサイズに設定されているので、例えば、前記ホーム画面ＧＨに登録可能な最大個数（１８個）のアイコンが登録済みでなく、前記アイコン配置エリアＡｉに前記最小サイズに対応した１または複数の空エリアａｖ１，ａｖ２，…が存在する場合であっても（ステップＲ４のＮｏ）、１つの空エリアａｖ１しか存在しない場合は勿論、複数の空エリアａｖ１，ａｖ２，…が横に少なくとも２つ並んで存在しない場合には、当該空エリアのサイズおよび形状が前記［手書きで調べる］アイコンｉＳ４ａに不適合と判別され、登録不可の不適合メッセージｍｎ２が表示される。
【００５９】
なお、前記ホーム画面登録処理の実施形態では、辞書コンテンツデータ（国語系）２２ｃ１のカテゴリを示す［国語系１］アイコンｉＪａを登録する場合（図４（Ｂ）（Ｃ）（Ｄ）参照）、当該カテゴリ（国語系）に含まれる複数の辞書コンテンツのうちの辞書コンテンツ［大辞典］に対応する［大辞典］アイコンｉＪ１を登録する場合（図４（Ｅ）（Ｆ）（Ｇ）参照）、［便利な検索］のカテゴリに含まれる手書き検索機能に対応する［書きで調べる］アイコンｉＳ４ａを登録する場合（図５参照）、について説明したが、本装置１０が有するその他の機能のカテゴリを示すアイコンを登録する場合、当該その他のカテゴリに含まれる複数の機能に対応する各アイコンを登録する場合の何れについても、前記同様のホーム画面登録処理に従い登録可能であるのは勿論であり、その説明は省略する。
【００６０】
（ホーム画面操作処理）
図７は、前記学習支援装置１０のホーム画面操作処理を示すフローチャートである。
【００６１】
図８は、前記学習支援装置１０のホーム画面操作処理に従ったホーム画面ＧＨからのユーザ操作に応じた表示動作の一例を示す図である。
【００６２】
キー入力部１４の［ホーム］キー１４ａの押下操作に応じて、図８（Ａ）に示すように、ＣＰＵ２１により、タッチパネル式表示部１７にホーム画面ＧＨ（国語系タブ［あいう］が指定されている）を表示させた状態で（ステップＳ１）、ユーザ操作に応じて、当該ホーム画面ＧＨ内の、例えば、［大辞典］アイコンｉＪ１が指定（タッチ操作による短押しの指定またはカーソルによる選択操作後の［決定］キー操作による指定）されると、指定された［大辞典］アイコンｉＪ１が識別表示Ｈされる（ステップＳ２のＹｅｓ）。
【００６３】
すると、ＣＰＵ２１により、前記［大辞典］アイコンｉＪ１（第１アイコン）が指定されたと判別され（ステップＳ３のＹｅｓ）、図８（Ｂ）に示すように、当該［大辞典］アイコンｉＪ１に対応する辞書コンテンツ［大辞典］のアプリが前記辞書コンテンツデータ（国語系）２２ｃ１から読み出されて起動され、辞書検索画面［大辞典］ＧＲ（第２画面）が表示部１７に表示される（ステップＳ４）。
【００６４】
また、図８（Ｃ）に示すように、タッチパネル式表示部１７に前記同様のホーム画面ＧＨ（国語系タブ［あいう］が指定されている）を表示させた状態で（ステップＳ１）、ユーザ操作に応じて、当該ホーム画面ＧＨ内の、例えば、［国語系１］アイコンｉＪａが指定（タッチ操作による短押しの指定またはカーソルによる選択操作後の［決定］キー操作による指定）されると、指定された［国語系１］アイコンｉＪａが識別表示Ｈされる（ステップＳ２のＹｅｓ）。
【００６５】
すると、ＣＰＵ２１により、前記［国語系１］アイコンｉＪａ（第２アイコン）が指定されたと判別され（ステップＳ３のＮｏ→Ｓ５のＹｅｓ）、図８（Ｄ）に示すように、当該［国語系１］アイコンｉＪａ（第２アイコン）に対応する辞書コンテンツデータ（国語系）２２ｃ１に含まれる複数の辞書コンテンツのアイコン（［大辞典］ｉＪ１〜［カタカナ語］ｉＪ９）（第１アイコン）を一覧にしたコンテンツ一覧画面（国語系）ＧＬが前記表示部１７に表示される（ステップＳ６）。
【００６６】
前記図８（Ｄ）で示したコンテンツ一覧画面（国語系）ＧＬにおいて、例えば、［大辞典］アイコンｉＪ１（第１アイコン）が指定されると（ステップＳ７のＹｅｓ）、前記図８（Ｂ）で示した場合と同様に、当該［大辞典］アイコンｉＪ１に対応する辞書コンテンツ［大辞典］のアプリが起動され、辞書検索画面［大辞典］ＧＲが表示部１７に表示される（ステップＳ４）。
【００６７】
なお、ホーム画面ＧＨのアイコン配置エリアＡｉ内に表示されたアイコンに対応する機能を起動させることを指示する操作を、特定のユーザ操作とする。
【００６８】
一方、前記図８（Ａ）に破線Ｐで囲んで示すように、前記コンテンツ一覧画面（国語系）ＧＬの第１アイコンでも第２アイコンでもない、空エリアａｖ１（アイコン未登録エリア）がユーザ操作に応じて指定されると（ステップＳ８のＹｅｓ）、図８（Ｅ）に示すように、アイコン登録方法のガイダンスｇｒが前記コンテンツ一覧画面（国語系）ＧＬに重ねて表示される（ステップＳ９）。ここで、［決定］キー１４ｄが操作されると（ステップＳ１０のＹｅｓ）、前記図８（Ａ）で示したホーム画面ＧＨの表示に戻る。
【００６９】
図９は、前記学習支援装置１０のホーム画面操作処理に従い、ホーム画面ＧＨの［カード保存］アイコンｉＣ（第１アイコン）を指定した場合であって、メモリカードが未挿入である場合の表示動作の一例を示す図である。
【００７０】
前記ホーム画面登録処理に従い、図９（Ａ）に示すように、外部記録媒体２３であるメモリカードの保存データに対応する機能を起動させるための［カード保存］アイコンｉＣ（第１アイコン）が登録されているホーム画面ＧＨにおいて（ステップＳ１）、図９（Ｂ）に示すように、ユーザ操作に応じて、当該［カード保存］アイコンｉＣ（第１アイコン）が指定され、ＣＰＵ２１により識別表示Ｈされると（ステップＳ２（Ｙｅｓ）→Ｓ３（Ｙｅｓ）→Ｓ１１（Ｙｅｓ））、記録媒体読取部２４に前記メモリカードが挿入されているか否か判別される（ステップＳ１２）。
【００７１】
ここで、前記記録媒体読取部２４にメモリカードが挿入されていると判別された場合は（ステップＳ１２のＹｅｓ）、当該メモリカードに保存されているデータ（例えば、前記辞書コンテンツデータ記憶部２２ｃに記憶されていない他の辞書コンテンツデータ）に対応する機能が起動される（ステップＳ４）。
【００７２】
一方、ＣＰＵ２１により、前記ステップＳ１２において、記録媒体読取部２４にメモリカードが挿入されていないと判別された場合は（ステップＳ１２のＮｏ）、図９（Ｃ）に示すように、前記ホーム画面ＧＨに重ねてカード未挿入のエラーメッセージｍｅが表示される（ステップＳ１３）。ここで、［決定］キー１４ｄが操作されると（ステップＳ１４のＹｅｓ）、前記図９（Ｂ）で示したホーム画面ＧＨの表示に戻る。
【００７３】
なお、前記ホーム画面ＧＨの表示状態において、ＣＰＵ２１により、ユーザの指定操作があったと判別された場合であって（ステップＳ１，Ｓ２のＹｅｓ）、指定された位置が、前記第１アイコン、または第２アイコン、またはアイコン未登録エリア（アイコン配置エリアＡｉ内の空エリア）、の何れでもないと判別された場合は（ステップＳ３（Ｎｏ）→Ｓ５（Ｎｏ）→Ｓ８（Ｎｏ））、当該指定された位置に対応するその他の処理が実行される（ステップＳ１５）。
【００７４】
このように、本装置１０が有する機能のカテゴリを示すアイコン（第２アイコン）が指定されると、当該指定のカテゴリに含まれる複数の機能に対応する複数のアイコン（第１アイコン）を一覧にした画面が表示され、当該複数の第１アイコンを一覧にした画面内の第１アイコンが指定されると、当該指定の第１アイコンに対応する機能が起動される。
【００７５】
（ホーム画面編集処理）
まず始めに、図１０にしたがって、編集モードにおけるアイコンの移動規則を説明する。図１０は、前記学習支援装置１０のホーム画面ＧＨの編集モードにおけるアイコンの移動規則を説明するための模式図である。
【００７６】
図１０（Ａ）に示すように、前記アイコン配置エリアＡｉは、全体が矩形状であり、その全体が格子状（縦３行、横６列）に分割された１８個の正方形状のアイコン配置単位領域ＵＡｉが設定されている。前記アイコン配置エリアＡｉに表示される１以上のアイコンはそれぞれが矩形状であり、具体的には、前記アイコン配置単位領域ＵＡｉと同じ大きさの小さめの正方形状の小サイズアイコン（ｉＸ１１）、前記アイコン配置単位領域ＵＡｉが横に２個並べたものと同じ大きさの長方形状の中サイズアイコン（ｉＸ１２）、前記アイコン配置単位領域ＵＡｉを縦横２個ずつ並べたものと同じ大きさの大きめの正方形状の大サイズアイコン（ｉＸ２２）のいずれかである。また、前記１以上のアイコンｉＸ１１，ｉＸ１２，ｉＸ２２は、各外周縁が、複数の前記アイコン配置単位領域ＵＡｉの境界線Ｌｂ，Ｌｂ…に合致する位置への配置のみが許容され、境界線Ｌｂ，Ｌｂ…からずれた位置への配置が許容されないように、ＣＰＵ２１によって表示制御される。
【００７７】
図１０（Ｂ）および（Ｃ）は、移動元エリアＡｓに表示されているアイコンｉＸ２２が、移動先エリアＡｅへ移動可能であることを説明する模式図である。詳しくは後述するが、タッチパネル式表示部１７にホーム画面ＧＨが表示された状態で、当該ホーム画面ＧＨのアイコン配置エリアＡｉに配置された１以上のアイコンｉＸ１１，ｉＸ１２，ｉＸ２２（これらを一括して「ｉＸｍｎ」と称する）の任意のアイコンに対し、タッチオンの操作Ｔおよび長押しが行われると、アイコン配置エリアＡｉのうち、当該長押し操作が行われた任意のアイコンｉＸｍｎが表示されている領域が、移動元エリアＡｓである。したがって、移動元エリアＡｓは、前記アイコン配置単位領域ＵＡｉが１個分である正方形状の小サイズアイコンｉＸ１１、２個分である長方形状の中サイズアイコンｉＸ１２、および、４個分である正方形状の大サイズアイコンｉＸ２２のいずれかと、同じサイズおよび形状（合同）である。
【００７８】
また、詳しくは後述するが、前記移動元エリアＡｓが決定してから、タッチオフしないまま、ユーザ操作に応じてタッチ位置を変化させるスライド操作が行われると、移動中の当該タッチ位置を重心とする、移動元エリアＡｓと同じサイズおよび形状の矩形（正方形または長方形）に最も近接する、１つ以上のアイコン配置単位領域が、移動先エリアＡｅの候補として、特定される。具体的には、移動中のアイコンが正方形状の小サイズアイコンｉＸ１１であれば、前記アイコン配置エリアＡｉのうちの、前記小さめの正方形と合同の１個のアイコン配置単位領域が、移動先エリアＡｅの候補として特定される。また、移動中のアイコンが長方形状の中サイズアイコンｉＸ１２であれば、前記アイコン配置エリアＡｉのうちの、前記長方形と合同の２個のアイコン配置単位領域が、移動先エリアＡｅの候補として特定される。また、移動中のアイコンが正方形状の大サイズアイコンｉＸ２２であれば、前記アイコン配置エリアＡｉのうちの、前記大きめの正方形と合同の４個のアイコン配置単位領域が、移動先エリアＡｅの候補として特定される。
【００７９】
上述の移動元エリアＡｓに表示されているアイコンｉＸｍｎの外周縁が、前記アイコン配置エリアＡｉ内の上述の候補の移動先エリアＡｅに、上述のタッチオン操作時あるいは長押し判定時に配置されている１以上のアイコンｉＸｍｎおよび空エリアａｖ１の外周縁と、合致しているかどうかが判定される。図１０（Ｂ）、（Ｃ）では、移動元エリアＡｓの外周縁（大サイズアイコンｉＸ２２の外周縁）が、決定した移動先エリアＡｅに配置済みである１以上のアイコンｉＸｍｎおよび空エリアａｖ１および空エリアａｖ１の外周縁と、合致している。このように、２つの外周縁が合致している状態で、タッチオフの操作が検出されると、そのときの候補の移動先エリアＡｅを移動先エリアＡｅとして決定し、移動元エリアＡｓの表示内容と、決定した移動先エリアＡｅの表示内容とを入れ替えるように、ＣＰＵ２１によって表示制御される。
【００８０】
図１０（Ｂ）の例では、前記タッチオン操作時あるいは長押し判定時に、移動元エリアＡｓに１個の大サイズアイコンｉＸ２２が表示され、候補の移動先エリアＡｅにちょうど収まるように４個の小サイズアイコンｉＸ１１が表示されているので（図１０（Ｃ）左図）、タッチオフの操作が検出されると、移動元エリアＡｓに４個の小サイズアイコンｉＸ１１が表示され、決定した移動先エリアＡｅに１個の大サイズアイコンｉＸ２２が表示されるように（図１０（Ｃ）右図）、ＣＰＵ２１によって表示制御される。
【００８１】
図１０（Ｃ）の例では、前記タッチオン操作時あるいは長押し判定時に、移動元エリアＡｓに１個の大サイズアイコンｉＸ２２が表示され、候補の移動先エリアＡｅにちょうど収まるように１個の中サイズアイコンｉＸ１２と１個の小サイズアイコンｉＸ１１と１個の空エリアａｖ１（白抜きの正方形）が表示されているので（図１０（Ｃ）左図）、タッチオフの操作が検出されると、移動元エリアＡｓに１個の中サイズアイコンｉＸ１２と２個の小サイズアイコンｉＸ１１が表示され、決定した移動先エリアＡｅに１個の大サイズアイコンｉＸ２２が表示されるように（図１０（Ｃ）右図）、ＣＰＵ２１によって表示制御される。
【００８２】
図１０（Ｄ）、（Ｅ）、（Ｆ）は、移動元エリアＡｓに表示されているアイコンｉＸｍｎが、移動先エリアＡｅへ移動不可であることを説明する模式図である。図１０（Ｄ）、（Ｅ）、（Ｆ）では、移動元エリアＡｓに表示されているアイコンｉＸｍｎの外周縁が、上述の候補の移動先エリアＡｅに、上述のタッチオン操作時あるいは長押し判定時に配置されている１以上のアイコンｉＸｍｎまたは空エリアａｖ１の外周縁と、合致していない。このように、２つの外周縁が合致していない状態で、タッチオフの操作が検出されると、そのときの移動元エリアＡｓの表示内容と、移動先エリアＡｅ’の表示内容とを入れ替えることなく、アイコンの入れ替えが不可能である旨を報知するメッセージを表示するように、ＣＰＵ２１によって表示制御される。上述のメッセージ報知の処理について、詳しくは後述する。
【００８３】
図１０（Ｄ）の上図の例では、前記タッチオン操作時あるいは長押し判定時に、移動元エリアＡｓに１個の大サイズアイコンｉＸ２２が表示され、候補の移動先エリアＡｅ’に１個の中サイズアイコンｉＸ１２の左半分と３個の小サイズアイコンｉＸ１１とが表示されているので、移動元エリアＡｓの外周縁（大サイズアイコンｉＸ２２の外周縁）が、決定した移動先エリアＡｅ’に配置済みである１以上のアイコンｉＸｍｎまたは空エリアａｖ１の外周縁と、合致していない。
【００８４】
図１０（Ｄ）の下図の例では、前記タッチオン操作時あるいは長押し判定時に、移動元エリアＡｓに１個の小サイズアイコンｉＸ１１が表示され、候補の移動先エリアＡｅ’に１個の大サイズアイコンｉＸ２２の右上部分が表示されているので、移動元エリアＡｓの外周縁（小サイズアイコンｉＸ１１の外周縁）が、決定した移動先エリアＡｅ’に配置済みである１以上のアイコンｉＸｍｎまたは空エリアａｖ１の外周縁と、合致していない。
【００８５】
図１０（Ｄ）に示すように、移動元エリアＡｓの外周縁が、前記アイコン配置エリアＡｉに配置済みである１以上のアイコンｉＸｍｎまたは空エリアａｖ１の外周縁と、合致していない場合には、アイコンの入れ替えが不可能である旨を報知するメッセージを表示するように、ＣＰＵ２１によって表示制御される。
【００８６】
図１０（Ｅ）の上図の例では、前記タッチオン操作時あるいは長押し判定時に、移動元エリアＡｓに１個の中サイズアイコンｉＸ１２が表示され、候補の移動先エリアＡｅ’に１個の中サイズアイコンｉＸ１２（移動元エリアＡｓに存在しているものと同一のアイコン）の右半分と１個の小サイズアイコンｉＸ１１とが表示されているので、移動元エリアＡｓの外周縁（中サイズアイコンｉＸ１２の外周縁）が、決定した移動先エリアＡｅ’に配置済みである１以上のアイコンｉＸｍｎまたは空エリアａｖ１の外周縁と、合致していない。この場合、移動元エリアＡｓと移動先エリアＡｅ’の一部が互いに重なっている状態でもある。
【００８７】
図１０（Ｅ）の下図の例では、前記タッチオン操作時あるいは長押し判定時に、移動元エリアＡｓに１個の大サイズアイコンｉＸ２２が表示され、候補の移動先エリアＡｅ’に１個の大サイズアイコンｉＸ２２の右下部分、１個の中サイズアイコンｉＸ１２および１個の小サイズアイコンｉＸ１１が表示されているので、移動元エリアＡｓの外周縁（大サイズアイコンｉＸ２２の外周縁）が、決定した移動先エリアＡｅ’に配置済みである１以上のアイコンｉＸｍｎまたは空エリアａｖ１の外周縁と、合致していない。この場合も、移動元エリアＡｓと移動先エリアＡｅ‘の一部が互いに重なっている状態である。
【００８８】
図１０（Ｄ）に示すように、移動元エリアＡｓと移動先エリアＡｅ’の一部が互いに重なっている場合には、アイコンの入れ替えが不可能である旨を報知するメッセージを表示するように、ＣＰＵ２１によって表示制御される。
【００８９】
図１０（Ｆ）の例では、前記タッチオン操作時あるいは長押し判定時に、移動元エリアＡｓに１個の大サイズアイコンｉＸ２２が表示され、移動先エリアＡｅ’の少なくとも一部が前記アイコン配置エリアＡｉの外側にはみ出している。図１０（Ｆ）に示すように、移動先エリアＡｅ’の少なくとも一部が前記アイコン配置エリアＡｉの外側にはみ出している場合にも、アイコンの入れ替えが不可能である旨を報知するメッセージを表示するように、ＣＰＵ２１によって表示制御される。ＣＰＵ２１は、以上の規則に従って、ホーム画面ＧＨにおけるアイコンの移動を制御する。
【００９０】
続けて、図１１〜図１５にしたがって、前記学習支援装置１０の編集モード処理について、説明する。図１１は、前記学習支援装置１０のホーム画面編集設定処理を示すフローチャートである。図１２は、前記学習支援装置１０のホーム画面編集設定処理に従い遷移される編集モード処理を示すフローチャートである。図１３は、前記学習支援装置１０の編集モード処理に従ったホーム画面ＧＨでのユーザ操作（編集可）に応じた表示動作の一例を示す図である。
【００９１】
キー入力部１４の［ホーム］キー１４ａの押下操作に応じて、図１３（Ａ）に示すように、ＣＰＵ２１により、タッチパネル式表示部１７にホーム画面ＧＨが表示された状態で（ステップＰ１）、当該ホーム画面ＧＨに対するユーザ操作に応じて、タッチオンの操作Ｔがあったと判別されると（ステップＰ２のＹｅｓ）、当該タッチオンされた位置が、アイコン配置エリアＡｉに登録されているアイコン上であるか否か判別される（ステップＰ３）。
【００９２】
ここで、前記タッチオンされた位置がアイコン配置エリアＡｉのアイコン上であると判別されると（ステップＰ３のＹｅｓ）、ＣＰＵ２１により、当該タッチオンされている時間が、例えば、１秒未満でタッチオフされた短押しか、または１秒以上継続されている長押しか、が判別される（ステップＰ４，Ｐ５）。また、前記タッチオンされた位置がアイコン配置エリアＡｉのアイコン上であると判別されると（ステップＰ３のＹｅｓ）、当該タッチオンされた位置に存在する当該アイコンが特定されて、特定された当該アイコンが表示されているエリアが移動元エリアＡｓとして特定される。図１３（Ａ）の例では、アイコン配置エリアＡｉ内の［大辞典］アイコンｉＪ１が表示されている矩形のエリアが、移動元エリアＡｓとして特定される。
【００９３】
そして、前記アイコン上でのタッチオンが、短押しであると判別された場合は、前記図７を参照して説明したホーム画面操作処理のステップＳ３以降の処理に移行され、当該短押しにより指定されたアイコンに対応する機能の処理が実行される（ステップＰ４のＹｅｓ→Ｓ３）。
【００９４】
一方、前記図１３（Ａ）で示したホーム画面ＧＨのアイコン配置エリアＡｉにおいて、ＣＰＵ２１により、当該アイコン配置エリアＡｉ内の何れかのアイコンの位置でタッチオン（Ｔ）されたと判別され、そのアイコンが長押しにより指定されたと判別されると（ステップＰ５のＹｅｓ）、図１２に示す編集モードの処理に遷移される（ステップＰＥ）。
【００９５】
なお、前記ホーム画面ＧＨにおいてタッチオンされた位置が、アイコン配置エリアＡｉのアイコン上ではないその他の位置であると判別された場合（ステップＰ３のＮｏ）、またはアイコン配置エリアＡｉのアイコン上であっても、短押しまたは長押しの何れでもない（正しくタッチされていない）と判別された場合には（ステップＰ５のＮｏ）、当該タッチオンに応じたその他の処理が実行される（ステップＰ６）。
【００９６】
例えば、前記図１３（Ａ）で示したホーム画面ＧＨの［大辞典］アイコンｉＪ１が長押し（Ｔ）により指定され、図１２に示す編集モード処理に遷移されると、ＣＰＵ２１により、図１３（Ｂ）に示すように、前記アイコン配置エリアＡｉの外側に、お気に入りアイコンの編集方法のガイダンスと、［登録解除］アイコンｉＲＣとを表記した、お気に入りアイコン編集画面ＧＥ（第１画面(2)）がタッチパネル式表示部１７に表示される。
【００９７】
ここで、ＣＰＵ２１により、前記［大辞典］アイコンｉＪ１が長押し（Ｔ）により指定されたまま、つまりタッチオフされたと判別されない状態（ステップＥ１のＮｏ）で、タッチ位置が、前記タッチオンされた位置から既定値を超えて変化した、つまり、スライド（移動）されたと判別されると（ステップＥ２のＹｅｓ）、当該お気に入りアイコン編集画面ＧＥ上でのタッチ位置（第１位置）が特定される（ステップＥ３）。なお、図１３（Ｃ）に示すように、タッチ位置の変化が検出されている間は、変化後のタッチ位置に、ステップＰ３で特定されたアイコンが更新表示される。
【００９８】
そして、前記特定された第１位置が第１条件を満たすか否か判別される（ステップＥ４）。
【００９９】
ここで、図１０（Ｂ）、（Ｃ）に示す状況では、第１条件を満たしていると判別される。つまり、移動元エリアＡｓに配置されている移動対象のアイコンｉＸｍｎの外周縁が、決定した移動先エリアＡｅにタッチオン操作時あるいは長押し判定時に配置済みである１以上のアイコンｉＸｍｎおよび空エリアａｖ１の外周縁と、合致している場合に、前記特定された第１位置が第１条件を満たしていると判別される。
【０１００】
また、図１０（Ｄ）、（Ｅ）、（Ｆ）に示す状況では、第１条件を満たしていないと判別される。つまり、移動元エリアＡｓに配置されている移動対象のアイコンｉＸｍｎの外周縁が、決定した移動先エリアＡｅにタッチオン操作時あるいは長押し判定時に配置済みである１以上のアイコンｉＸｍｎまたは空エリアａｖ１の外周縁と、合致していなかったり（図１０（Ｄ））、移動元エリアＡｓと移動先エリアＡｅ’の一部が互いに重なっていたり（図１０（Ｅ））、移動先エリアＡｅ’の少なくとも一部が前記アイコン配置エリアＡｉの外側にはみ出している（図１０（Ｆ））場合に、前記特定された第１位置が第１条件を満たしていないと判別される。
【０１０１】
例えば、図１３（Ｃ）に示すように、ＣＰＵ２１により、前記お気に入りアイコン編集画面ＧＥ上で移動ｄ１されている［大辞典］アイコンｉＪ１の外周縁のサイズおよび形状と、特定された第１位置を含む移動先エリアＡｅに配置されている空エリアａｖ１の外周縁のサイズおよび形状とが同じである（第１位置が第１条件を満たす）と判別されると（ステップＥ４のＹｅｓ）、移動元エリアＡｓに表示されている［大辞典］アイコンｉＪ１と移動先エリアＡｅに表示されている空エリアａｖ１とを入れ替え可能である旨を報知する編集可能メッセージｍＹ（「ＯＫ」と青色の「○」）が当該編集画面ＧＥ内に表示される（ステップＥ５）。
【０１０２】
ここで、ＣＰＵ２１により、前記［大辞典］アイコンｉＪ１に対するタッチがオフされたと判別されると（ステップＥ１のＹｅｓ）、当該タッチオフされた第１位置（ここでは、空エリアａｖ１の位置）が特定され（ステップＥ６）、特定された第１位置が前記ステップＥ４と同様にして第１条件を満たすと判別される（ステップＥ７のＹｅｓ）。
【０１０３】
すると、ＣＰＵ２１により、移動元エリアＡｓに表示されている［大辞典］アイコンｉＪ１の表示内容と、移動先エリアＡｅに表示されている空エリアａｖ１の表示内容とが入れ替えられて編集され、図１３（Ｄ）に示すように、編集後のホーム画面ＧＨが表示部１７に表示される（ステップＥ８）。
【０１０４】
また同様に、ＣＰＵ２１により、図１３（Ｅ）に示すように、お気に入りアイコン編集画面ＧＥ上で移動ｄ２されている［大辞典］アイコンｉＪ１の外周縁のサイズおよび形状と、特定された第１位置に応じて定められた移動先エリアＡｅに配置されている［国語辞典］アイコンｉＪ２の外周縁のサイズおよび形状とが同じである（第１位置が第１条件を満たす）と判別されると（ステップＥ４のＹｅｓ）、移動元エリアＡｓに表示されている［大辞典］アイコンｉＪ１と、移動先エリアＡｅに表示されている［国語辞典］アイコンｉＪ２とを入れ替え可能である旨を報知する編集可能メッセージｍＹ（「ＯＫ」と青色の「○」マーク）が当該編集画面ＧＥ内に表示される（ステップＥ５）。
【０１０５】
ここで、ＣＰＵ２１により、前記［大辞典］アイコンｉＪ１に対するタッチがオフされたと判別されると（ステップＥ１のＹｅｓ）、当該タッチオフされた第１位置（ここでは、［国語辞典］アイコンｉＪ２の位置）が特定され（ステップＥ６）、特定された第１位置が前記ステップＥ４と同様にして第１条件を満たすと判別される（ステップＥ７のＹｅｓ）。
【０１０６】
すると、ＣＰＵ２１により、移動元エリアＡｓに表示されている［大辞典］アイコンｉＪ１の表示内容と、移動先エリアＡｅに表示されている［国語辞典］アイコンｉＪ２の表示内容とが入れ替えられて編集され、図１３（Ｆ）に示すように、編集後のホーム画面ＧＨが表示部１７に表示される（ステップＥ８→Ｅ１７）。
【０１０７】
なお、図１３（Ａ）のホーム画面ＧＨに表示されている最小サイズのアイコンの縦横２倍に設定されたアイコン［ＥＮＧＬＩＳＨ  ＬＥＳＳＯＮ］ｉＥＬ、または図５（Ｄ）のホーム画面ＧＨに表示されている最小サイズのアイコンの横２倍に設定されたアイコン［手書きで調べる］ｉＳ４ａを対象に、前記図１３（Ｂ）（Ｃ）（Ｅ）で示した場合と同様にタッチオンして移動させたときに、特定された第１位置が２×２の４つの空エリアａｖ１〜ａｖ４、または１×２の２つの空エリアａｖ１，ａｖ２の組み合わせである場合は勿論、他のアイコンを含む組み合わせであっても、移動元のアイコン（ここでは、［ＥＮＧＬＩＳＨ  ＬＥＳＳＯＮ］ｉＥＬまたは［手書きで調べる］ｉＳ４ａ）のサイズおよび形状と、特定された第１位置に応じて定められた移動先エリアＡｅに配置されている複数の空エリアまたは複数の他のアイコンまたは当該空エリアと他のアイコンの組み合わせからなるエリアのサイズおよび形状とが同じになり、第１位置が第１条件を満たせば、前記同様に、移動元エリアＡｓに表示されているアイコンの表示内容と、移動先エリアＡｅに表示されている表示内容とが入れ替えられて編集される（ステップＥ６〜Ｅ８）。
【０１０８】
図１４は、前記学習支援装置１０の編集モード処理に従ったホーム画面ＧＨでのユーザ操作（登録解除）に応じた表示動作の一例を示す図である。
【０１０９】
例えば、図１４（Ａ）に示すように、編集モードに遷移されたお気に入りアイコン編集画面ＧＥにおいて、［大辞典］アイコンｉＪ１がタッチオン（Ｔ）されて移動ｄ３された際に（ステップＥ１〜Ｅ３）、ステップＥ３にて特定された前記第１位置が［登録解除］アイコンｉＲＣに重なる位置である（第１位置が第２条件を満たす）と判別されると（ステップＥ９のＹｅｓ）、当該移動中のアイコンの登録解除が可能な旨を報知する解除可能メッセージｍｃ１「解除します」が前記編集画面ＧＥ内に表示される（ステップＥ１０）。
【０１１０】
ここで、ＣＰＵ２１により、前記［大辞典］アイコンｉＪ１に対するタッチがオフされたと判別されると（ステップＥ１のＹｅｓ）、当該タッチオフされた第１位置（ここでは、［登録解除］アイコンｉＲＣの位置）が特定され（ステップＥ６）、特定された第１位置が前記ステップＥ９と同様にして［登録解除］アイコンｉＲＣに重なる位置であると判別される（ステップＥ１１のＹｅｓ）。
【０１１１】
すると、ＣＰＵ２１により、前記［大辞典］アイコンｉＪ１の登録が解除され、図１４（Ｂ）（Ｃ）に示すように、前記［大辞典］アイコンｉＪ１の登録が解除されたホーム画面ＧＨが表示部１７に表示されると共に、当該ホーム画面ＧＨ上に、ホーム画面登録解除の解除完了メッセージｍｃ２「解除しました」が一定時間表示され（ステップＥ１２）、編集モードが終了される（ステップＥ１７）。
【０１１２】
図１５は、前記学習支援装置１０の編集モード処理に従ったホーム画面ＧＨでのユーザ操作（編集不可）に応じた表示動作の一例を示す図である。
【０１１３】
例えば、図１５（Ａ）に示すように、アイコン配置エリアＡｉ内の［大辞典］アイコンｉＪ１をタッチオン（Ｔ）してスライドし、［ＥＮＧＬＩＳＨ  ＬＥＳＳＯＮ］アイコンｉＥＬの位置に移動ｄ４させると（ステップＥ１〜Ｅ３）、ＣＰＵ２１により、前記移動ｄ４されている［大辞典］アイコンｉＪ１の外周縁のサイズおよび形状と、特定された第１位置に応じて定められた移動先エリアＡｅに配置されている前記［ＥＮＧＬＩＳＨ  ＬＥＳＳＯＮ］アイコンｉＥＬの外周縁のサイズおよび形状とが異なるので、第１位置が第１条件を満たさないと判別される（ステップＥ４のＮｏ）。
【０１１４】
また、前記［大辞典］アイコンｉＪ１の移動先である第１位置が［登録解除］アイコンｉＲＣに重なる位置ではなく（第１位置が第２条件を満たさない）（ステップＥ９のＮｏ）、かつ、タッチオン操作時あるいは長押し判定時に前記［大辞典］アイコンｉＪ１が配置されている移動元エリアＡｓと、前記［ＥＮＧＬＩＳＨ  ＬＥＳＳＯＮ］アイコンｉＥＬが配置されている移動先エリアＡｅとが、異なると判別される（ステップＥ１３のＮｏ）。
【０１１５】
すると、ＣＰＵ２１により、移動元エリアＡｓに表示されている［大辞典］アイコンｉＪ１と、移動先エリアＡｅに表示されている［ＥＮＧＬＩＳＨ  ＬＥＳＳＯＮ］アイコンｉＥＬとの入れ替えが不可能である旨を報知する編集不可メッセージｍｎ（「ＮＧ」と赤色の「×」マーク）が当該編集画面ＧＥ内に表示される（ステップＥ１４）。
【０１１６】
ここで、ＣＰＵ２１により、前記［大辞典］アイコンｉＪ１に対するタッチがオフされたと判別されると（ステップＥ１のＹｅｓ）、当該タッチオフされた第１位置（ここでは、［ＥＮＧＬＩＳＨ  ＬＥＳＳＯＮ］アイコンｉＥＬの位置）が特定され（ステップＥ６）、特定された第１位置が前記ステップＥ４と同様にして第１条件を満たさず（ステップＥ７のＮｏ）、また、前記ステップＥ１３と同様にして、タッチオン操作時あるいは長押し判定時に前記［大辞典］アイコンｉＪ１が配置されている移動元エリアＡｓと、前記［ＥＮＧＬＩＳＨ  ＬＥＳＳＯＮ］アイコンｉＥＬが配置されている移動先エリアＡｅとが、異なると判別される（ステップＥ１５のＮｏ）。
【０１１７】
すると、ＣＰＵ２１により、図１５（Ｂ）に示すように、アイコン入れ替え方法のガイダンスｇｓが前記編集不可メッセージｍｎを表示中の編集画面ＧＥに重ねて表示され（ステップＥ１６）、編集モードが終了される（ステップＥ１７）。
【０１１８】
したがって、前記構成の学習支援装置１０のホーム画面ＧＨのアイコン編集機能によれば、ホーム画面ＧＨ（第１画面）のアイコン配置エリアＡｉに表示されているアイコン（第１又は第２アイコン）を、タッチオン操作により指定し、タッチオフせずにタッチ位置を移動させ、その後タッチオフ操作すると、移動元エリアＡｓに表示されているアイコンｉＸｍｎの外周縁が、前記アイコン配置エリアＡｉ内の候補の移動先エリアＡｅに、上述のタッチオン操作時あるいは長押し判定時に配置されている１以上のアイコンｉＸｍｎおよび空エリアａｖ１の外周縁と、合致している場合に、前記特定された第１位置が第１条件を満たしていると判別される。第１位置が第１条件を満たしていると判別されると、移動元エリアＡｓに表示されているアイコンｉＸｍｎと、移動先エリアＡｅに表示されているアイコンｉＸｍｎまたは空エリアａｖ１とが入れ替えられて編集される。
【０１１９】
これにより、従来にない新たな方法で、ホーム画面ＧＨ内に表示させたアイコンを編集することができる。
【０１２０】
また、前記構成の学習支援装置１０のホーム画面ＧＨのアイコン編集機能によれば、移動元エリアＡｓに表示されているアイコンｉＸｍｎの外周縁が、前記アイコン配置エリアＡｉ内の候補の移動先エリアＡｅに、上述のタッチオン操作時あるいは長押し判定時に配置されている１以上のアイコンｉＸｍｎおよび空エリアａｖ１の外周縁と、合致している場合であって、移動先エリアＡｅに表示されているアイコンｉＸｍｎまたは空エリアａｖ１が複数のアイコンｉＸｍｎまたは空エリアａｖ１からなる場合は、当該複数のアイコンｉＸｍｎまたは空エリアａｖ１ごと、移動元エリアＡｓに表示されているアイコンｉＸｍｎと入れ替えられて編集される。
【０１２１】
これにより、移動元のアイコンが移動先にある１つ以上のアイコンｉＸｍｎまたは空エリアａｖ１より大きいサイズであっても、移動先にある複数のアイコンｉＸｍｎまたは空エリアａｖ１を纏めた形状が移動元のアイコンの形状と同形状であれば、ホーム画面ＧＨ内のアイコンを入れ替えて編集できる。
【０１２２】
また、前記構成の学習支援装置１０のホーム画面ＧＨのアイコン編集機能によれば、前記アイコン配置エリアＡｉ内の候補の移動先エリアＡｅにある他のアイコンや空エリアの外周縁のサイズおよび形状と、移動対象のアイコンｉＸｍｎの外周縁のサイズおよび形状とが同じであると判別された場合には、編集可能メッセージｍＹ（「ＯＫ」と青色の「○」）を編集画面ＧＥに表示させ、異なると判別された場合には、編集不可メッセージｍｎ（「ＮＧ」と赤色の「×」マーク）を編集画面ＧＥに表示させる。
【０１２３】
これにより、前記アイコン配置エリアＡｉ内でアイコンをタッチオン操作により指定して移動した際に、移動元エリアＡｓに配置されている移動対象のアイコンｉＸｍｎを、候補の移動先エリアＡｅにある他のアイコンと入れ替える編集操作が可能であるのか、不可能であるのかを、ユーザは一目で簡単に見分けることができる。
【０１２４】
また、前記構成の学習支援装置１０のホーム画面ＧＨのアイコン登録解除機能によれば、ホーム画面ＧＨ（第１画面）のアイコン配置エリアＡｉに表示されているアイコン（第１又は第２アイコン）を、タッチオン操作により指定しながら移動させた際に、移動中のタッチ位置（第１位置）が［登録解除］アイコンｉＲＣに重なると判別（第２条件）された場合には、移動中のアイコンの登録解除が可能な旨を報知する解除可能メッセージｍｃ１を表示させることができる。
【０１２５】
そして、前記移動中のアイコンを前記［登録解除］アイコンｉＲＣに重ねた状態でタッチオフ操作すると、当該アイコンをホーム画面ＧＨの登録から解除して前記アイコン配置エリアＡｉから消去できる。
【０１２６】
さらに、前記構成の学習支援装置１０のホーム画面ＧＨのアイコン登録機能によれば、複数の機能に対応する複数のアイコンを一覧にしたコンテンツ一覧画面ＧＬ（第２画面）において、任意のアイコンを、タッチ操作の長押しまたは［登録］キーのキー操作による特定の操作により指定すると、前記ホーム画面ＧＨに最大個数のアイコンが登録済みであるか、前記ホーム画面ＧＨに最大個数のアイコンが登録済みでない場合でも前記指定されたアイコンのサイズおよび形状が前記ホーム画面ＧＨの空エリア（アイコン未登録エリア）のサイズおよび形状に不適合であるか、が判別（特定条件の判別）される。
【０１２７】
そして、前記ホーム画面ＧＨに最大個数のアイコンが登録済みであると判別された場合は、ＭＡＸ個数登録済みメッセージｍｎ１を表示させ、また、前記指定されたアイコンのサイズおよび形状が前記ホーム画面ＧＨの空エリア（アイコン未登録エリア）のサイズおよび形状に不適合であると判別された場合は、不適合メッセージｍｎ２を表示させて、アイコンの追加登録ができない旨をユーザに報知できる。
【０１２８】
また、前記構成の学習支援装置１０のホーム画面操作機能によれば、ホーム画面ＧＨのアイコン配置エリアＡｉに表示されている［カード保存］アイコンｉＣを、タッチ操作の短押しまたは［決定］キーのユーザ操作により指定した際に、記録媒体読取部２４にメモリカードが挿入されていない状態では、カード未挿入のエラーメッセージｍｅを表示させて、メモリカードが挿入されていない旨をユーザに報知できる。
【０１２９】
前記各実施形態は、タッチパネル式表示部１７へのタッチ操作によって、前記アイコン配置エリアＡｉ内の移動元エリアＡｓに配置されたアイコンｉＸｍｎを特定し、前記第１画面内の第１位置を特定し、特定した前記第１位置を前記アイコンｉＸｍｎの移動先として指定するものであったが、本発明は、タッチパネル式とは限らない表示部と、マウスやタッチパッドなどのような表示部に表示される画面内の位置を指示するカーソル位置指示部とを備える表示制御装置にも適用できる。
【０１３０】
この場合、カーソル位置指示部によって表示部に表示される画面内の位置を指示してから、左クリックやタッチパッドへのタッチオンなどの操作によって、前記アイコン配置エリアＡｉ内の移動元エリアＡｓに配置されたアイコンｉＸｍｎを特定し、左クリックやタッチオンを保持したままで、カーソル位置指示部によって表示部に表示される画面内の位置を移動させることによって、前記第１画面内の第１位置を特定し、当該第１位置において左クリックやタッチオンを解除することによって、特定した前記第１位置を前記アイコンｉＸｍｎの移動先として指定することができる。
【０１３１】
なお、前記各実施形態において記載した学習支援装置１０による各処理の手法、すなわち、図３のフローチャートに示すホーム画面登録処理、図７のフローチャートに示すホーム画面操作処理、図１１のフローチャートに示すホーム画面編集設定処理、および図１２のフローチャートに示す編集モード処理などの各手法は、何れもコンピュータに実行させることができるプログラムとして、メモリカード（ＲＯＭカード、ＲＡＭカードなど）、磁気ディスク（フロッピ（登録商標）ディスク、ハードディスクなど）、光ディスク（ＣＤ−ＲＯＭ、ＤＶＤなど）、半導体メモリなどの外部記録装置の媒体に格納して配布することができる。そして、表示機能を備えた電子機器のコンピュータ（ＣＰＵ）は、この外部記録装置の媒体に記録されたプログラムを記憶装置に読み込み、この読み込んだプログラムによって動作が制御されることにより、前記各実施形態において説明した表示制御機能を実現し、前述した手法による同様の処理を実行することができる。
【０１３２】
また、前記各手法を実現するためのプログラムのデータは、プログラムコードの形態として通信ネットワーク（Ｎ）上を伝送させることができ、この通信ネットワーク（Ｎ）に接続されたコンピュータ装置（プログラムサーバ）から前記プログラムのデータを、表示機能を備えた電子機器に取り込んで記憶装置に記憶させ、前述した表示制御機能を実現することもできる。
【０１３３】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１３４】
以下に、本願出願の当初の特許請求の範囲に記載された発明を付記する。
【０１３５】
［１］
対応する機能を起動するためのアイコンを、表示部の第１画面内の前記アイコンを配置可能に設定されたアイコン配置エリア内に、前記表示部によって表示させ、
前記アイコン配置エリア内の移動元エリアに配置されたアイコンを特定後、前記第１画面内の第１位置を特定し、特定した前記第１位置を前記アイコンの移動先として指定する第１操作を受け付け、
前記第１操作を受け付けたことに応じて、特定された前記移動元エリアのアイコンの外周縁が、前記第１位置に基づいて定められる前記アイコン配置エリア内の移動先エリアに、前記移動元エリアのアイコンを特定時に配置されているアイコンまたは空エリアの外周縁と、同じサイズおよび形状である第１条件を満たす場合、前記移動元エリアの表示内容と、前記移動先エリアの表示内容とを入れ替える
制御部
を備える表示制御装置。
【０１３６】
［２］
前記制御部は、
前記第１条件を満たし、かつ、前記移動先エリアに２以上のアイコンが表示されていた場合、
前記移動元エリアの表示内容を前記移動先エリアに表示し、かつ、前記２以上のアイコンごと前記移動元エリアに表示する表示更新を、前記表示部によって実行させる、
［１］に記載の表示制御装置。
【０１３７】
［３］
前記制御部は、
前記第１操作において特定される前記第１位置が、前記第１条件を満たす場合と、前記第１条件を満たさない場合とが、視覚的に区別できるように、前記第１画面を、前記表示部によって表示変更させる、
［１］または［２］に記載の表示制御装置。
【０１３８】
［４］
前記制御部は、
前記第１操作を受け付けたことに応じて、前記第１位置が特定のアイコンに重なる位置である第２条件を満たす場合、前記アイコンを前記アイコン配置エリアから非表示にする表示更新を、前記表示部によって実行させる、
［１］〜［３］の何れかに記載の表示制御装置。
【０１３９】
［５］
前記制御部は、
前記第１操作において特定される前記第１位置が、前記第２条件を満たす場合、前記アイコンを前記アイコン配置エリアから非表示にする表示更新を実行することに対応した情報を、報知する、
［４］に記載の表示制御装置。
【０１４０】
［６］
前記制御部は、
前記第１画面とは表示内容が異なる第２画面に前記アイコンを表示させ、
前記第２画面に表示された前記アイコンに対する特定の操作を受け付けたことに応じて、前記表示部の前記第１画面内の前記アイコン配置エリア内に表示させる前記アイコンとして、当該アイコンを登録し、
前記特定の操作を受け付けた場合に、特定の条件を満たしているか否かを判定し、
前記特定の条件を満たしていると判定した場合、前記アイコンを登録することができない旨を報知する、
［１］〜［５］の何れかに記載の表示制御装置。
【０１４１】
［７］
前記制御部は、
外部記憶装置内に保存された機能に対応するアイコンを、前記アイコン配置エリア内に表示させるアイコンとして、前記アイコンを登録した場合であって、かつ、前記外部記憶装置が未装着であるときに、前記アイコンを指定するユーザ操作を受け付けた場合、
前記アイコンに対応する機能を利用できない旨を報知する、
［６］に記載の表示制御装置。
【０１４２】
［８］
前記制御部は、
コンテンツを利用するアプリ、学習支援機能、および、前記コンテンツ内の情報を検索する文字を入力するための入力画面のいずれかを起動するための第１アイコンと、前記第１アイコンが複数表示される画面を表示させるための第２アイコンとのうちのいずれかの任意のアイコンを、前記第２画面に、前記アイコンとして、前記表示部によって表示させ、
前記任意のアイコンへの前記特定の操作を受け付けたことに応じて、前記第１画面の前記アイコン配置エリア内に表示させるアイコンとして、当該任意のアイコンを登録する、
［６］または［７］に記載の表示制御装置。
【０１４３】
［９］
電子機器の制御部により、
対応する機能を起動するためのアイコンを、表示部の第１画面内の前記アイコンを配置可能に設定されたアイコン配置エリア内に、前記表示部によって表示させ、
前記アイコン配置エリア内の移動元エリアに配置されたアイコンを特定後、前記第１画面内の第１位置を特定し、特定した前記第１位置を前記アイコンの移動先として指定する第１操作を受け付け、
前記第１操作を受け付けたことに応じて、特定された前記移動元エリアのアイコンの外周縁が、前記第１位置に基づいて定められる前記アイコン配置エリア内の移動先エリアに、前記移動元エリアのアイコンを特定時に配置されているアイコンまたは空エリアの外周縁と、同じサイズおよび形状である第１条件を満たす場合、前記移動元エリアの表示内容と、前記移動先エリアの表示内容とを入れ替える、
ようにした表示制御方法。
【０１４４】
［１０］
電子機器のコンピュータを、
対応する機能を起動するためのアイコンを、表示部の第１画面内の前記アイコンを配置可能に設定されたアイコン配置エリア内に、前記表示部によって表示させ、
前記アイコン配置エリア内の移動元エリアに配置されたアイコンを特定後、前記第１画面内の第１位置を特定し、特定した前記第１位置を前記アイコンの移動先として指定する第１操作を受け付け、
前記第１操作を受け付けたことに応じて、特定された前記移動元エリアのアイコンの外周縁が、前記第１位置に基づいて定められる前記アイコン配置エリア内の移動先エリアに、前記移動元エリアのアイコンを特定時に配置されているアイコンまたは空エリアの外周縁と、同じサイズおよび形状である第１条件を満たす場合、前記移動元エリアの表示内容と、前記移動先エリアの表示内容とを入れ替える、
手段として機能させるためのコンピュータ読み込み可能な表示制御プログラム。
【符号の説明】
【０１４５】
１０  …学習支援装置（表示制御装置）
１４  …キー入力部（キーボード）
１４ａ…［ホーム］キー
１４ｄ…［訳／決定］キー
１４ｇ…［シフト］キー
１７  …タッチパネル式表示部
１７Ａ…タッチキーエリア
ＧＨ  …ホーム画面（第１画面(1)）
Ａｉ  …アイコン配置エリア
２１  …ＣＰＵ
２２  …記憶部
２２ａ…学習支援処理プログラム
２２ｂ…表示制御処理プログラム
２２ｃ…辞書コンテンツデータ記憶部
２２ｄ…学習コンテンツデータ記憶部
２２ｅ…ツールデータ記憶部
２２ｆ…ホーム画面登録データ記憶部
２２ｇ…表示データ記憶部
２３  …外部記録媒体
２４  …記録媒体読取部
２５  …通信部
３０  …Ｗｅｂサーバ
ＧＬ  …コンテンツ一覧画面（第２画面）
ｍＲ  …登録完了メッセージ
ＧＳ  …便利な検索一覧画面（第２画面）
ｍｎ１…ＭＡＸ個数登録済みメッセージ
ｍｎ２…不適合メッセージ
ａｖ１…空エリア
ｇｒ  …アイコン登録方法ガイダンス
ＧＲ  …辞書検索画面（第２画面）
ｍｅ  …カード未挿入エラーメッセージ
ＧＥ  …お気に入りアイコン編集画面（第１画面(2)）
ｉＲＣ…［登録解除］アイコン
ｍＹ（青）…編集可能メッセージ
ｍｃ１…解除可能メッセージ
ｍｃ２…解除完了メッセージ
ｍｎ（赤）…編集不可メッセージ
Ｔ  …タッチオン
【図１】
2019121194.tif 000003
【図２】
2019121194.tif 000004
【図３】
2019121194.tif 000005
【図４】
2019121194.tif 000006
【図５】
2019121194.tif 000007
【図６Ａ】
2019121194.tif 000008
【図６Ｂ】
2019121194.tif 000009
【図７】
2019121194.tif 000010
【図８】
2019121194.tif 000011
【図９】
2019121194.tif 000012
【図１０】
2019121194.tif 000013
【図１１】
2019121194.tif 000014
【図１２】
2019121194.tif 000015
【図１３】
2019121194.tif 000016
【図１４】
2019121194.tif 000017
【図１５】
2019121194.tif 000018